(57)【要約】【課題】  エレベータの悪戯操作によるかご呼びを精度よく検出して該当するかご呼びをキャンセルすることが可能なエレベータ制御方法およびエレベータ制御装置を提供する。【解決手段】  実施形態によれば、エレベータ制御装置が、登録されたかご呼びに応答してエレベータの乗りかごがいずれかの階床に着床し、他に未応答のかご呼びおよび当該着床階の乗場呼びが登録されていない状態で乗りかごが戸開した後、乗りかごに新たに乗り込んだ利用者がいない状態で複数のかご呼び操作が行われると、当該複数のかご呼びを悪戯の疑いがあるかご呼びとして仮登録する。その後、乗りかごに乗り込んだ新たな利用者が検知されると、仮登録された階床を行先階とする場合は再操作が必要であることを報知する情報を乗りかご内で出力し、再操作が行われると当該階床を行先階とするかご呼びを本登録し、再操作されなかった階床を行先階とするかご呼びの仮登録をキャンセルする。【選択図】図２
2019137508.tif 000002
【特許請求の範囲】
【請求項１】
エレベータ制御装置が、
登録されたかご呼びに応答して当該エレベータの乗りかごがいずれかの階床に着床し、他に未応答のかご呼びおよび当該着床階の乗場呼びが登録されていない状態で前記乗りかごが戸開した後、前記乗りかごに新たに乗り込んだ利用者がいない状態で複数のかご呼び操作が行われると、当該複数のかご呼びを悪戯の疑いがあるかご呼びとして仮登録し、その後、前記乗りかごに乗り込んだ新たな利用者が検知されると、前記仮登録された階床を行先階とする場合は再操作が必要であることを報知する情報を前記乗りかご内で出力し、再操作が行われると当該階床を行先階とするかご呼びを本登録し、再操作されなかった階床を行先階とするかご呼びの仮登録をキャンセルする
ことを特徴とするエレベータ制御方法。
【請求項２】
前記エレベータ制御装置が、前記再操作が必要であることを報知する情報の出力として、該当する行先階登録ボタンを点滅または、アナウンス情報の出力の少なくともいずれかを行う
ことを特徴とする請求項１に記載のエレベータ制御方法。
【請求項３】
前記エレベータ制御装置が、前記乗りかごに乗り込んだ新たな利用者が検知されたときに、前記仮登録したかご呼びの中から最寄りの階床の情報を抽出し、抽出した情報の階床を行先階とする場合は再操作が必要であることを報知する情報を出力し、当該階床に関する再操作が行われると当該階床を行先階とするかご呼びを本登録する本登録処理を実行し、本登録したかご呼びに応答して前記乗りかごが当該階床に着床して戸開したときに、仮登録されたかご呼びが残っている場合は、前記本登録処理を再実行する
ことを特徴とする請求項１または２に記載のエレベータ制御方法。
【請求項４】
前記エレベータ制御装置が、前記乗りかごに乗り込んだ新たな利用者が検知されたときに、前記仮登録したすべてのかご呼びの階床について、いずれかを行先階とする場合は該当する階床に関する再操作が必要であることを報知する情報を出力し、再操作が行われた階床を行先階とするかご呼びを本登録し、再操作されなかった階床を行先階とするかご呼びの仮登録をキャンセルする
ことを特徴とする請求項１または２に記載のエレベータ制御方法。
【請求項５】
前記エレベータ制御装置が、前記乗りかごに新たに乗り込んだ利用者を、前記乗りかごが着床した階床の乗場を撮影するカメラ装置の撮像情報に基づいて検知し、
かご呼びを仮登録した後、所定時間経過しても前記乗りかごに乗り込んだ新たな利用者が検知されなかったときには、仮登録されたすべてのかご呼びをキャンセルする
ことを特徴とする請求項１〜４いずれか１項に記載のエレベータ制御方法。
【請求項６】
エレベータの乗りかごに乗り込む人を検知する利用者乗り込み検知装置に接続されたエレベータ制御装置において、
登録されたかご呼びに応答して当該エレベータの乗りかごがいずれかの階床に着床し、他に未応答のかご呼びおよび当該着床階の乗場呼びが登録されていない状態で前記乗りかごが戸開した後、前記利用者乗り込み検知装置により前記乗りかごに新たに乗り込んだ利用者が検知されていない状態で複数のかご呼び操作が行われると、当該複数のかご呼びを悪戯の疑いがあるかご呼びとして仮登録し、その後、前記乗りかごに乗り込んだ新たな利用者が検知されると、前記仮登録された階床を行先階とする場合は再操作が必要であることを報知する情報を前記乗りかご内で出力し、再操作が行われると当該階床を行先階とするかご呼びを本登録し、再操作されなかった階床を行先階とするかご呼びの仮登録をキャンセルする呼び登録情報処理部
を備えることを特徴とするエレベータ制御装置。
【発明の詳細な説明】
【技術分野】
【０００１】
本発明の実施形態は、エレベータ制御方法およびエレベータ制御装置に関する。
【背景技術】
【０００２】
エレベータでは、乗りかご内の行先階登録ボタンが悪戯操作されて過剰にかご呼びが登録されると、無駄な乗りかごの昇降および着床動作が発生し、運転効率が低下するとともにエネルギーロスが発生する。そのため、悪戯操作によるかご呼びをキャンセルするための技術が従来提案されている。
【先行技術文献】
【特許文献】
【０００３】
【特許文献１】特開２００２−６８６１３号公報
【特許文献２】特開２０１４−１４８４０２号公報
【発明の概要】
【発明が解決しようとする課題】
【０００４】
例えば、乗車している利用者が１、２人の小人数であるにも関わらず、多数のかご呼びが登録されたときに、これらのかご呼びの操作は悪戯であると判断して該当する登録をキャンセルする技術がある。
【０００５】
しかし、低層の建物のエレベータ、例えば２階〜４階建ての建物のエレベータは乗りかご内の行先階ボタンの数が少なく、すべてのかご呼びボタンが操作されても悪戯と判断される状態にはならないため、当該技術を採用することができない。
【０００６】
また、当該技術を高層の建物のエレベータに搭載し、乗車している利用者が少人数であるときに多数のかご呼びが登録されても、直後に多数の利用者が乗り込んだ場合にはこれらのかご呼びは悪戯によるものと判断されず、乗りかごの無駄な動作が発生してしまう可能性がある。
【０００７】
本発明は上記事情に鑑みてなされたものであり、エレベータの悪戯操作によるかご呼びを精度よく検出して該当するかご呼びをキャンセルすることが可能なエレベータ制御方法およびエレベータ制御装置の提供を目的とする。
【課題を解決するための手段】
【０００８】
上記目的を達成するための実施形態によれば、エレベータ制御装置が、登録されたかご呼びに応答してエレベータの乗りかごがいずれかの階床に着床し、他に未応答のかご呼びおよび当該着床階の乗場呼びが登録されていない状態で乗りかごが戸開した後、乗りかごに新たに乗り込んだ利用者がいない状態で複数のかご呼び操作が行われると、当該複数のかご呼びを悪戯の疑いがあるかご呼びとして仮登録する。その後、乗りかごに乗り込んだ新たな利用者が検知されると、仮登録された階床を行先階とする場合は再操作が必要であることを報知する情報を乗りかご内で出力し、再操作が行われると当該階床を行先階とするかご呼びを本登録し、再操作されなかった階床を行先階とするかご呼びの仮登録をキャンセルする。
【図面の簡単な説明】
【０００９】
【図１】第１および第２実施形態によるエレベータ制御装置を用いたエレベータの構成を示す全体図。
【図２】第１および第２実施形態によるエレベータ制御装置の構成を示すブロック図。
【図３】第１実施形態によるエレベータ制御装置の動作を示すフローチャート。
【図４】第１実施形態によるエレベータ制御装置により実行される本登録処理の手順を示すフローチャート。
【図５】第２実施形態によるエレベータ制御装置の動作を示すフローチャート。
【図６】第２実施形態によるエレベータ制御装置により実行される本登録処理の手順を示すフローチャート
【発明を実施するための形態】
【００１０】
《第１実施形態》
〈第１実施形態による悪戯操作によるかご呼びキャンセル機能を搭載したエレベータの構成〉
本発明の第１実施形態による悪戯操作によるかご呼びキャンセル機能を搭載したエレベータの構成について、図１を参照して説明する。本実施形態によるエレベータ１Ａは６階建ての建物に設置され、当該建物内の昇降路２上部に設置された巻上げ機３と、巻上げ機３に掛け渡されたロープ４と、ロープ４に吊り下げられた乗りかご５と、各階床のエレベータ乗場６−１〜６−６に設置された乗場操作盤７−１〜７−６と、巻上げ機３、乗りかご５、および乗場操作盤７−１〜７−６に接続されたエレベータ制御装置８Ａとを備える。乗場操作盤７−１〜７−６はそれぞれ、乗場呼び操作を行うための乗場呼びボタン７１および７２を有する。以下の説明および図面において、乗場が６−１〜６−６のいずれであるかを特定する必要がない場合には、乗場６と記載する。同様に、乗場操作盤が７−１〜７−６のいずれであるかを特定する必要がない場合には、乗場操作盤７と記載する。
【００１１】
乗りかご５は、幕板５１に設置されたカメラ装置５２と、カメラ装置５２に接続された画像解析装置５３と、１階〜６階にそれぞれ対応する行先階登録ボタン５４−１〜５４−６と、スピーカ装置５５とを有する。カメラ装置５２は、乗りかご５がいずれかの乗場６に着床して戸開したときに該当する乗場６を撮影する。画像解析装置５３は、カメラ装置５２で撮影された撮像情報を解析して乗場６から乗りかご５内に利用者が乗り込んだか否かを監視し、乗り込んだことを検知すると利用者乗り込み検知情報を出力する。カメラ装置５２および画像解析装置５３は利用者乗り込み検知装置として機能し、戸開中に乗りかご５に乗り込もうとする利用者を検知してドア開閉を制御する、いわゆるスマートドアを構成する機器として用いられている。
【００１２】
エレベータ制御装置８Ａは、図２に示すように、乗場操作情報取得部８１と、かご内操作情報取得部８２と、呼び登録部８３と、動作制御部８４と、検知情報取得部８５と、呼び登録情報処理部８６Ａとを有する。乗場操作情報取得部８１は、乗場操作盤７−１〜７−６の操作情報を取得する。かご内操作情報取得部８２は、乗りかご５内の行先階登録ボタン５４−１〜５４−６の操作情報を取得する。呼び登録部８３は、乗場操作情報取得部８１で取得された情報に基づいて乗場呼びを登録するとともに、かご内操作情報取得部８２で取得された情報に基づいてかご呼びを登録する。動作制御部８４は、呼び登録部８３に登録された乗場呼びおよびかご呼びに応答するように、巻上げ機３等のエレベータ１Ａ内の機器の動作を制御する。検知情報取得部８５は、画像解析装置５３から出力された利用者乗り込み検知情報を取得する。
【００１３】
呼び登録情報処理部８６Ａは、登録されたかご呼びに応答して乗りかご５がいずれかの階床に着床し、他に未応答のかご呼びおよび当該着床階の乗場呼びが登録されていない状態で乗りかご５が戸開した後、検知情報取得部８５で乗りかご５に新たに乗り込んだ利用者の検知情報が取得されていない状態で複数のかご呼び操作が行われると、当該複数のかご呼びを悪戯の疑いがあるかご呼びとして呼び登録部８３に仮登録する。その後、乗りかご５に乗り込んだ新たな利用者の検知情報が取得されると、仮登録された最寄の階床について、当該階床を行先階とする場合は再操作が必要であることを報知する情報を出力する。そして、該当する行先階登録ボタンが再操作されると当該階床を行先階とするかご呼びを本登録し、再操作されなかった場合は該当するかご呼びの仮登録をキャンセルする。
【００１４】
〈第１実施形態による悪戯操作によるかご呼びキャンセル機能を搭載したエレベータの動作〉
次に、本実施形態によるエレベータ１Ａの動作について、図３のフローチャートを参照して説明する。本実施形態において、通常運転中は、乗場呼びボタン７１、７２が操作されて呼び登録部８３に登録された乗場呼び、および行先階登録ボタン５４−１〜５４−６が操作されて呼び登録部８３に登録されたかご呼びに応答するように、動作制御部８４により巻上げ機３を含むエレベータ１Ａ内の機器の動作が制御されている。また、通常運転中、乗りかご５がいずれかの乗場６に着床して戸開すると、カメラ装置５２で該当する乗場６が撮影されて撮像情報が画像解析装置５３に送出される。画像解析装置５３は、取得した撮像情報を解析し、乗場６から乗りかご５内に乗り込んだ利用者を検知する。そして、乗りかご５に乗り込んだ利用者を検知すると利用者乗り込み検知情報を生成し、エレベータ制御装置８Ａに出力する。
【００１５】
通常運転中、かご呼びに応答して乗りかご５が行先階、例えば１階に着床して戸開したときに（Ｓ１の「YES」）、呼び登録情報処理部８６Ａにおいて、他に未応答のかご呼びおよび当該１階の乗場呼びが呼び登録部８３に登録されていない状態であるかが判定される（Ｓ２）。該当する状態であるときには（Ｓ２の「YES」）、検知情報取得部８５で利用者乗り込み検知情報が取得されたか否かが監視される。
【００１６】
ここで、利用者乗り込み検知情報が取得されていない、つまり新たな利用者が乗りかご５に乗り込んでいない状態で、乗りかご５内にいた利用者が２階〜６階の行先階登録ボタン５４−２〜５４−６がすべて悪戯操作して降車したとする。この場合、呼び登録情報処理部８６Ａにより当該操作が検知され（Ｓ３の「YES」）、２階〜６階それぞれを行先階とするかご呼びが、悪戯の疑いがあるかご呼びとして呼び登録部８３に仮登録される。また、２階〜６階に対応する行先階登録ボタン５４−２〜５４−６が点灯される（Ｓ４）。
【００１７】
その後、戸開中に新たな利用者が乗りかご５に乗り込み、検知情報取得部８５で利用者乗り込み検知情報が取得されると（Ｓ５の「YES」）、呼び登録情報処理部８６Ａにより、仮登録されたかご呼びに対する本登録処理が実行される（Ｓ６）。
【００１８】
呼び登録情報処理部８６Ａにより実行される本登録処理について、図４のフローチャートを参照して説明する。まず、仮登録された２階〜６階のかご呼びの中で、最寄の行先階である２階の情報が抽出され、該当する行先階登録ボタン５４−２が点滅される。そして、抽出した情報に基づいて２階を行先階として本登録する場合は再操作が必要であることを報知するためのアナウンス情報、例えば「２階で下車する方は２階のボタンを押してください。」が動作制御部８４を介して乗りかご５のスピーカ装置５５から出力される（Ｓ６１）。当該アナウンス情報は、利用者により該当する行先階登録ボタン５４−２が再操作されるかまたは、操作されずに所定時間が経過するまで、繰り返し出力される。
【００１９】
そして、乗りかご５内の利用者により、点滅した行先階登録ボタン５４−２が再操作されると（Ｓ６２の「YES」）、アナウンス情報の出力が停止され、当該２階を行先階とするかご呼びが呼び登録部８３に本登録される。また、該当する行先階登録ボタン５４−２が点滅から点灯に切り替えられる（Ｓ６３）。
【００２０】
ステップＳ６２において、行先階登録ボタン５４−２が操作されずに所定時間（例えば５秒）が経過すると（Ｓ６４の「YES」）、アナウンス情報の出力が停止され、２階を行先階とするかご呼びが悪戯によるものと判断されて、仮登録された２階のかご呼びが呼び登録部８３からキャンセルされる。また、２階の行先階登録ボタン５４−２の点滅が消灯される（Ｓ６５）。ここで、呼び登録部８３にはまだ仮登録された３階〜６階のかご呼びが残っているため（Ｓ６６の「YES」）ステップＳ６１に戻り、いずれかの階床が本登録されるまで処理が繰り返される。
【００２１】
いずれかの階床が本登録されると、図３のフローチャートに戻り、呼び登録部８３に本登録されたかご呼びに応答するように、動作制御部８４によりエレベータ１Ａ内の機器の動作が制御され、乗りかご５が該当する行先階に着床して戸開される。そして、着床した階の行先階登録ボタン５４が消灯される（Ｓ７）。ここで、応答した階床が２階〜５階のいずれかであり、呼び登録部８３にまだ仮登録されたかご呼びが残っている場合には（Ｓ８の「YES」）ステップＳ６に戻り、本登録処理（ステップＳ６１〜Ｓ６７）が実行される。ステップＳ６、Ｓ７の処理は、呼び登録部８３に仮登録されたかご呼びがなくなるまで、いずれかの階床に乗りかご５が着床して戸開する都度、繰り返される。
【００２２】
また、ステップＳ５において、戸開中に新たな利用者が乗りかご５に乗り込まずに所定時間（例えば１０秒）が経過すると（Ｓ５の「NO」、Ｓ９の「YES」）、仮登録された２階〜６階全てのかご呼びが呼び登録部８３からキャンセルされ、行先階登録ボタン５４−２〜５４−６が消灯される（Ｓ１０）。
【００２３】
以上の第１実施形態のエレベータによれば、建物の形態に関わらず、悪戯操作によるかご呼びを精度よく検出して該当するかご呼びをキャンセルすることができ、乗りかご内が無人の状態での走行や、不必要な走行、停止を回避して効率のよい運転を行うことができる。
【００２４】
《第２実施形態》
〈第２実施形態による悪戯操作によるかご呼びキャンセル機能を搭載したエレベータの構成〉
本発明の第２実施形態による悪戯操作によるかご呼びキャンセル機能を搭載したエレベータ１Ｂの構成は、図１で説明した第１実施形態によるエレベータ１Ａの構成と同様であるため、同一機能を有する部分の詳細な説明は省略する。
【００２５】
本実施形態においてエレベータ制御装置８Ｂの呼び登録情報処理部８６Ｂは、悪戯の疑いがあるかご呼びを呼び登録部８３に仮登録した後、乗りかご５に乗り込んだ新たな利用者の検知情報が取得されると、仮登録されたすべての階床について、いずれかを行先階とする場合は該当する階床に関する再操作が必要であることを報知する情報を出力する。そして、再操作が行われた階床を行先階とするかご呼びを本登録し、再操作されなかった階床を行先階とするかご呼びの仮登録をキャンセルする。
【００２６】
〈第２実施形態による悪戯操作によるかご呼びキャンセル機能を搭載したエレベータの動作〉
本実施形態によるエレベータ１Ｂの動作について、図５のフローチャートを参照して説明する。本実施形態において、ステップＳ１〜Ｓ５の処理、およびステップＳ９、Ｓ１０の処理については、第１実施形態で説明した処理と同様であるため、詳細な説明は省略する。
【００２７】
悪戯の疑いがあるかご呼びが呼び登録部８３に仮登録された後、ステップＳ５において新たな利用者が乗りかご５に乗り込み、検知情報取得部８５で利用者乗り込み検知情報が取得されたときに、呼び登録情報処理部８６Ｂにより実行される本登録処理（Ｓ１１）について、図６のフローチャートを参照して説明する。
【００２８】
まず、仮登録されたかご呼びの行先階である２階〜６階すべての行先階登録ボタン５４−２〜５４−６が点滅される。そして、ボタンが点滅している階のいずれかを行先階として本登録する場合は該当する階のボタンの再操作が必要であることを報知するためのアナウンス情報、例えば「点滅している階で下車する方は該当する階のボタンを押してください。」が動作制御部８４を介して乗りかご５のスピーカ装置５５から出力される（Ｓ１１１）。当該アナウンス情報は、利用者により該当する行先階登録ボタン５４−２が再操作されるかまたは、操作されずに所定時間が経過するまで、繰り返し出力される。
【００２９】
そして、乗りかご５内の利用者により、例えば６階の行先階登録ボタン５４−６が再操作されると（Ｓ１１２の「YES」）、アナウンス情報が停止され、当該６階を行先階とするかご呼びが呼び登録部８３に本登録される。また、該当する行先階登録ボタン５４−６が点滅から点灯に切り替えられる（Ｓ１１３）。ここで、呼び登録部８３にはまだ仮登録された２階〜５階のかご呼びが残っているため（Ｓ１１４の「YES」）、ステップＳ１１２に戻る。
【００３０】
ステップＳ１１２において、行先階登録ボタン５４−２〜５４−５が操作されずに所定時間が経過すると（Ｓ１１５の「YES」）、アナウンス情報の出力が停止され、仮登録された２階〜５階のかご呼びが悪戯によるものと判断されて、呼び登録部８３からキャンセルされる。また、２階〜５階の行先階登録ボタン５４−２〜５４−５の点滅が消灯される（Ｓ１１６）。
【００３１】
図５のフローチャートに戻り、呼び登録部８３に本登録された最寄階のかご呼びに応答するように、動作制御部８４によりエレベータ１Ｂ内の機器の動作が制御され、乗りかご５が該当する行先階に着床して戸開される。また、着床した階の行先階登録ボタン５４が消灯される（Ｓ１２）。ここで、本登録されたかご呼びが残っている場合には（Ｓ１３の「YES」）、ステップＳ１２の処理が実行される。
【００３２】
以上の第２実施形態によれは、建物の形態に関わらず、悪戯操作によるかご呼びを効率よく検出して該当するかご呼びをキャンセルすることができ、乗りかご内が無人の状態での走行や、不必要な走行、停止を回避した運転を行うことができる。
【００３３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３４】
１Ａ，１Ｂ…エレベータ、２…昇降路、３…巻上げ機、４…ロープ、５…乗りかご、６，６−１〜６−６…乗場、７，７−１〜７−６…乗場操作盤、８Ａ，８Ｂ…エレベータ制御装置、５１…幕板、５２…カメラ装置、５３…画像解析装置、５４，５４−１〜５４−６…行先階登録ボタン、５５…スピーカ装置、７１，７２…乗場呼びボタン、８１…乗場操作情報取得部、８２…かご内操作情報取得部、８３…呼び登録部、８４…動作制御部、８５…検知情報取得部、８６Ａ，８６Ｂ…呼び登録情報処理部
【図１】
2019137508.tif 000003
【図２】
2019137508.tif 000004
【図３】
2019137508.tif 000005
【図４】
2019137508.tif 000006
【図５】
2019137508.tif 000007
【図６】
2019137508.tif 000008